(57)【特許請求の範囲】
【請求項１】
冷却システムを有する炉のオンストリームデコーキングのための方法であって、前記炉は炭化水素原料の入り口と熱放射部の交差部との間に位置する複数の管群を含み、熱放射部は熱放射コイルを含み、各管群は管群内に配置されている複数の管を含み、
前記方法は
（ａ）多数の管群の全部ではない複数の管の一部分への炭化水素原料流れを停止する工程、
（ｂ）工程（ａ）での多数の管群の全部ではない複数の管の一部分へ、蒸気を含むデコーキング原料を提供して、対流部から熱放射部の交差部の温度を７８８℃以下に維持しつつ、熱放射コイルの内部と、多数の管群の全部ではない複数の管の一部分に連結している冷却システムの構成部分とに蓄積されたコークを効果的に除去する工程を含む、方法。
【請求項２】
（ｃ）多数の管群の全部ではない複数の管の一部分を炭化水素処理工程へ戻す工程、
（ｄ）多数の管群の全部ではない複数の管の第二部分への炭化水素原料流れを停止する工程、
（ｅ）前記第二部分において、工程（ｂ）及び（ｃ）を繰り返す工程、を更に含む、請求項１の方法。
【請求項３】
原料供給が停止され、デコーキング原料が多数の管群の全部ではない複数の管の１つに一度に供給され、炉の転換能力を減少せずに熱放射コイルと多数の管群の全部ではない複数の管の一部分に連結している冷却システムの構成部分とに蓄積したコークを除去する、請求項１の方法。
【請求項４】
（ａ）において、停止された炭化水素流れが気体−液体セパレーターからの気体流れを含む、請求項１、２、および３のいずれか１項に記載の方法。
【請求項５】
（ａ）において、停止された炭化水素流れが、第二輸送ライン交換器からの気体流れを含む、請求項１、２、および３のいずれか１項に記載の方法。
【請求項６】
工程（ｂ）に供給されるデコーキング原料が追加的な水を含まない請求項１乃至５のいずれか１項に記載の方法。
【請求項７】
工程（ｂ）の間の多数の管群の全部ではない複数の管の一部分内の温度が、残りの稼動している多数の管群の全部ではない複数の管の±２００℃以内である、請求項１乃至６のいずれか１項に記載の方法。
【請求項８】
前記炉がスチームクラッキング炉である、請求項１乃至７のいずれか１項に記載の方法。
【請求項９】
工程（ｂ）で供給されたデコーキング原料が蒸気のみからなる請求項１乃至８のいずれか１項に記載の方法。
【請求項１０】
炉が炭化水素原料の入り口と対流部から熱放射部の交差部との間に連続的に配置されている多数の管群を含む対流部を含み、
各管群は管群内に配置された複数の管を含み、
熱放射部は複数の管のそれぞれに連結して、炭化水素供給原料を熱分解し、
スチームを多数の管群の全部ではない複数の一部分に供給して、熱放射コイル及び冷却システムの構成部分のオンストリーミングデコーキングを行い、
複数の管群の全部ではない複数の管のそれぞれの流れをバルブを用いて、炭化水素源から蒸気供給からの蒸気へ切り替える、請求項１乃至９のいずれか１項に記載の方法。
【発明の詳細な説明】
【０００１】
本発明は、オレフィン、特にエチレン等の低分子量オレフィン生成のための炭化水素の熱分解の分野に関する。より具体的には、発明は熱分解（スチームクラッキング）プロセス等の間に成形される付着コークを稼動しながら除去する方法に関する。
【背景技術】
【０００２】
熱分解とも言われている、スチームクラッキングは各種炭化水素原料をオレフィン類、特にエチレン、プロピレン、及びブテン等の軽質オレフィンへ分解するために、使用されている。従来のスチームクラッキングは、２つの主要セクションを有する熱分解炉を使用する。その２つのセクションとは対流部と熱放射部である。炭化水素原料は通常この炉の対流部に液体として入り（軽質原料は気体として入る）、加熱され、熱放射部からの高温燃焼排ガスと非接触的に接近し、又は蒸気と直接接触することにより、少なくとも部分的に気化させられる。気化した供給原料と蒸気との混合物はそのあと熱放射部へ導入される。ここでは主に分解化学反応が起こる。オレフィンを含む生成物はこの熱分解炉を去り、冷却工程を含む下流域で更に処理される。
【０００３】
オレフィンガス分解システムは通常、エチレン、プロパン、及び時折ブテンを分解することを意図しており、通常、重質液体原料、特に１％より多い量のタールを生成するの液体原料を分解する能力を欠いている。ガス原料はほとんどタールを生成しない傾向にあるので、一次、二次、及び更に三次的な輸送ライン変換器（ＴＬＥ）を用いて、高圧及び中圧蒸気の生成を通じて（生成される）エネルギーを回収する。炉の流れは炉の出口から冷却タワー入り口までを冷却するので、処理される気体は通常、その後、冷却タワーに供給され、ここでこの気体を冷却水に直接的に接触させて更に冷却する。
【０００４】
従来のスチームクラッキングシステムはガスオイル及びナフサ等の十分に揮発性である炭化水素を含む高品質液体原料を分解するにも効果的であった。これらの原料を処理する炉からの分解された排出液は少なくとも一次ＴＬＥで冷却工程される。重質ナフサ及び全ガスオイル原料のために、一次ＴＬＥの下流に二次オイル冷却工程がしばしば必要とされる。そのような炉からの処理排出液は、通常一次フラクショネーターに供給され、重質炭化水素が除去され、軽質炭化水素流れが更なる処理のために下流工程に供給される。
【０００５】
しかしながら、経済的理由から、スチームクラッキングで残油を含む低価格原料を処理することが好ましい。そのような原料の非限定的な例としては、常圧残油、例えば、常圧パイプスチルボトム（パイプ内残油）及び原油を含む。原油及び常圧残油はしばしば５９５℃（１１００ｏＦ）を超える沸点を有する、高分子不揮発性化合物を含む。これらの原料のこの不揮発性化合物は従来の熱分解炉の対流部においてコークとして蓄積する。不揮発性化合物の非常に低いレベルの化合物のみが、軽質化合物が完全に気化される個所の対流部下流において利用可能となる。不揮発性物質の相当量を含む原料を分解するために、部分的に予備加熱された原料を気体−液体セパレーターに、好ましくは揮発性炭化水素の全てが蒸発する温度より低い温度で、通過させることが必要とされる。そのような気体−液体セパレーターを採用する炉は米国特許第７，１３８，０４７号及び米国特許出願第２００５／０２０９４９５Ａ１に開示されている。
【０００６】
ケロシン及びガスオイル等の重質原料を分解すると大量のタールを生成する。タールは炉の熱放射部及び冷却セクションですばやくコークス化し、コーク除去を可能にするために、頻繁に原料を供給することが阻害される。コークを除去する工程をデコーキングという。しかしながら、軽質ガス原料のクラッキングでさえ、熱放射コイルの内部表面にコークを付着させ、定期的なコークス除去が必要とされている。
【０００７】
クラッキング炉の熱放射部及び冷却システムからのコークを除去するために商業的に行われている通常の方法はスチーム−エア−デコーキングである。このプロセスの間、炭化水素原料の炉への供給が阻害され、蒸気が炉を通過する。炉の排出液は更にオレフィンプラントの回収セクションからデコーキングシステムへ再循環する。空気は炉を通過しているスチームに添加され、加熱された空気／スチーム混合物が燃焼を調節することにより、体積したコークを除去する。スチーム−エア−デコーキングはクラッキング炉の熱放射コイル及び冷却システムから、蓄積したコークを取り除くのに効果的であるが、デコーキングプロセスを継続している間、炉からのオレフィン生成を完全に停止しなければならないという不利益がある。
【０００８】
米国特許第３，３６５，３８７号は、炉の稼動を維持しながら、１つ以上の管に蒸気及び／又は水原料を通して分解炉管からコークを取り除く方法を提案する。この蒸気及び／又は水原料は、炭化水素原料が炉へ導入される個所において、炭化水素供給原料に置き換えられる。スチーム−エア−デコーキングに対するこの方法の利点は、デコークされる炉の区画においてオレフィン生成物を生成し続けることができることであり、空気又は酸素がこのプロセスに添加されないので、炉の排出液はオレフィンプラントの回収セクションから再循環しなくてもよいことである。このプロセスは「オンストリームデコーキング」と呼ばれ、所与のプラントの炉のオレフィン生成速度における変動が少ないという利点を有し、全体炉排出液の再循環が必要とされないので、プラント稼動の負荷も少なくてすむ。
【０００９】
米国特許第３，５５７，２４１号は炉の稼動を維持しながら、且つコークを取り除かない管において熱分解プロセスを続けながら、少なくとも１つ以上の管を蒸気及び／又は水及び水素のデコーキング原料を通すことにより、分解炉管からコークを除去する方法を提案している。この蒸気及び／又は水及び水素原料は炭化水素フィードストックが炉に導入される個所で炭化水素原料ストックに置換される。
【００１０】
前述の２つの特徴はスチーム−エア−デコーキングの不利益の多くを排除する稼動デコーキング技術を説明するが、原料が炉に導入される個所で蒸気／水混合物を置き換えることは幾つかの不利益がある。稼動デコーキング流れは炉に原料が供給される個所で導入されるので、この流れはコイル又はバンクを加熱する対流部プロセス全体を通過しなければならない。もしデコーキング原料が蒸気のみであれば、対流部を去り及び炉の熱放射部に入る温度（交差部温度として知られている）は炉のこのセクションにおいて、通常用いられている物質のキャパシティーを超えている。通常用いられている物質のキャパシティー内に交差部の温度を維持するために、水を蒸気に添加することが必要とされる。しかしながら、過剰量の水が存在すると水が層化し、加熱されて対流部の管のボトムセクションに沿って進み、機械的な問題を生じる。そのような現象は管を曲げて、対流部内で管支持体内（チューブシートとして知られている）のそれらの自由な膨張及び／又は修飾を制限することになる。更に、デコーキングスチームに水を添加しようとすると、パイプワークが複雑になり、炉に制御システムを追加しなければならない。稼動デコーキングプロセス及び通常用いられている物質の範囲内で、対流部及び／又は交差部温度を維持するために水を必要としない稼動デコーキングプロセス及び炉の設計が望まれている。
【００１１】
技術の進歩にも関わらず、熱分解炉の稼動デコーキングのための改善されたプロセスが必要とされている。
【発明の概要】
【００１２】
１つの側面において、スチームクラッキング炉のオンストリームデコーキングのための方法を提供する。このスチームクラッキング炉は炭化水素フィードストック入り口と対流部から熱放射部の交差部までの間に位置する多数の管群を含む。各管群は内部に配置された複数の管を含む。このプロセスは多数の管群の全部ではない複数の管の一部分への炭化水素原料の流れを停止する工程、及び対流部から熱放射部の交差部における温度を約７８８℃（１４４５ｏＦ）に維持しながら、スチームを含むデコーキング原料を多数の管群の全部ではない複数の管の一部分に、熱放射コイルの内部及びそのような管により供給される冷却システムの構成部分に蓄積されたコークの効果的な除去及びそのために十分な量を供給する工程を含む。
【００１３】
１つの態様において、この方法は更に、多数の管群の全部ではない複数の管の一部分をスチームクラッキングオペレーションへ戻す工程、多数の管群の全部ではない複数の第二の部分への炭化水素の流れを停止する工程、及びこれらの工程を繰り返す工程を含む。
【００１４】
他の態様において、原料供給を停止し、デコーキング原料を多数の管群の全部ではない管の複数の管の１つの管に、一度に提供して、炉の転換キャパシティーを実質的に低減させずに、熱放射コイル及びそのような管により供給され冷却システムの構成部分からコークを除去する。
【００１５】
他の態様において、多数の管群の全部ではない複数の管の一部分内の温度は稼動したままの多数の管群の全部ではない複数の管の主要部分と同じ温度である（約±２００℃以内）。更なる態様において、デコーキング原料は主に蒸気である。更なる態様において、炉はスチームクラッキング炉である。
【００１６】
更なる態様において、本発明は炭化水素物質の熱分解のために提供される。この方法は炭化水素フィードストック入り口及び対流部から熱放射部の交差部の間に連続的に位置している複数の管群に蒸気を含む同じ混合物を通過させる。各管群はこの管群内に配置された複数の管を含む。この多数の管群は高温燃焼排ガスに接触させて対流部における中間温度にまで加熱し、下流の熱放射部で放射加熱される。このプロセスは多数の管群の全部ではない複数の管の一部分への炭化水素原料の流れを停止する工程、十分量のデコーキング原料を多数の管群の全部ではない複数の管の一部分に供給して、対流部から熱放射部の交差部の温度を約７８８℃以下に維持しながら、熱放射コイルの内部及びそのような管により供給される冷却システムの構成部分に蓄積したコークを効果的に除去する工程、及び多数の管群の全部ではない複数の管の一部分をスチームクラッキングオペレーションに戻す工程を含む。
【００１７】
更なる態様において、冷却システムを含む、エチレンの生成のための炉を提供する。この炉は炭化水素フィードストック入り口及び対流部から熱放射部までの間に連続的に位置する多数の管群を含む対流部を含む。各管群は管群内に平行に配置された複数の管を含み、熱放射コイル及び多数の管群の全部ではない管の複数の一部分により供給さえる冷却システムの構成部分をオンストリームデコーキングするスチーム供給、炭化水素原料の源から多数の管群の全部ではない部分に複数のそれぞれをスチーム供給からのスチームに切り替えるためのバルブ、炭化水素フィードストックの熱分解のための複数の管のそれぞれと流体連結している熱放射部を含む。これらの及び他の特徴は、添付の図及び発明の詳細な説明より明らかである。
【図の簡単な説明】
【００１８】
本発明は以下の例示的な図面を参照することにより詳細に説明される。これらの図面は本発明の各種態様を示している。
【００１９】
図１は炉を用いた本発明の方法の略式流図を示す。この図では特に炉の対流部が強調されている。
【００２０】
図２は炉を用いた本発明の方法の略式流図を示す。この図では特に炉の対流部が強調されている。
【好適な態様の詳細な説明】
【００２１】
例示の目的で選択された特定の態様を参照により本明細書に援用して本発明の各種側面を説明する。本明細書の開示されているプロセス及びシステムの精神及び範囲は選択された態様に限定されないことは理解されるであろう。更に、本明細書添付する図面は本発明が特定の部分又はスケールに限定されることを意味するものではない。例示的な態様の多くのバリエーションが可能である。ここで図面を参照すると、数字を用いて部分を特定している。量、濃度、又は他の値又はパラメーターは上限の好ましい値と下限の好ましい値で示されているが、範囲が別途記載されていない限り、任意の好適な上限値と好適な下限値により形成されている全ての範囲が開示されるものである。本明細書で用いられるフィードストックは、各種オレフィンに分解できる限り任意のフィードストックを用いることができ、高沸点分画及びエバポレーション残渣分画等の重質分画を含んでいてもよい。
【００２２】
図１は不揮発性物質の相当量を含む分解原料のための熱分解炉を表す。そのような炉は米国特許第７，１３８，０４７号及び米国特許出願第２０００５／０２０９４９５Ａ１に記載されている。図１を参照すると、熱分解炉１０は下部熱放射部１２、中間対流部１４、及び上部燃焼排ガス排出セクション１６を含む。熱放射部１２において、熱放射バーナー（示さず）が炭化水素原料に放射加熱を提供して、原料を熱分解し、所望の生成物を製造する。このバーナーは高温ガスを生成し、このガスは対流部１４を通り、上向きに流れ、燃料排ガス排出セクション１６を通り炉１０から排出される高温ガスを生成する。
【００２３】
図１に示すとおり、炭化水素は入り口管１８を入って、入り口フィードバルブ２０を通過し、予備加熱されている対流部１４の上部を流れる。示したように、管１８の複数は平行に配置されており、外部管群２２により概略的に示されている。図示していないけれども、入り口管１８の複数のそれぞれは入り口供給バルブ２０が付いている。図示するように、複数の管１８のそれぞれは、対流部の管群２６の熱交換管２４に流体連結している。「複数の管」の語は対流部１４は、多数の管群のそれぞれが少なくとも平行に配置された２つの管を有していることを意味する。図１に示すように、８つの管が概略的に示されている。しかしながら、３個、４個、６個、８個、１０個、１２個、１６個、１８個のものも知られている。
【００２４】
炭化水素原料の予備加熱は一般的な当業者に知られている任意のやり方で行うことができる。通常、加熱は炉１０の上部対流部１４において原料を炉１０の熱放射部１２からの高温燃料排ガスと非直接的に接触させることを含む。このことは、非限定的な例として、炉１０の対流部１４の内に位置する熱交換器に原料を通過させることにより行われる。
【００２５】
予備加熱された炭化水素原料が対流部１４を出た後、水がライン３０を通じて予備加熱された炭化水素原料に導入され、希釈された蒸気がライン４６を通じて導入して、混合物を形成する。おわかりのように、ウォーターライン３０の複数は並行に配置されており、外部管群３４により例示的に表されている。同様に、スチームライン４６の複数は並行に配置されており、エクスターナルバング４８として概略的に示されている。水は、水及び希釈蒸気の総重量に基づいて０％乃至１００％の量で予備加熱された原料に添加される。１つの形態に基づいて、１００％の水が炭化水素原料に添加され、希釈蒸気は添加されない。水流れ及び希釈蒸気流れの重量の合計は、所望の炭化水素圧力を達するために必要な反応ゾーンのＨ２Ｏを与える。
【００２６】
図１に示したように、水は希釈蒸気を添加する前に予備加熱された原料に添加される。この添加の順序は炭化水素原料、水、及び希釈蒸気の混合物に由来するプロセス流れにおける好ましくない圧力の変動を低くする。当業者に理解されているように、そのような変動はウォーターハンマー又はスチームハンマーと言われている。水及び蒸気を予備加熱した原料に添加することは、既知の混合デバイスを用いて行うことができるけれども、スパージャーアッセンブリー３６を用いることが好ましい。水は第一スパージャー４４で添加されることが好ましい。示したように、第一スパージャー４４は内部導管３８及び該部導管４２の間に環状のフロースペースを形成するように外部導管４２により取り巻かれている内部有孔導管３８を含む。予備加熱された炭化水素原料は環状フロースペースを通じて流れる。好ましくは、水が内部有孔導管３８を通り、内部導管３８において示されている開口部（ミシン目）を通じて予備加熱された炭化水素原料に注入される。複数のスパージャーアッセンブリー３６が並行に配置されている。
【００２７】
希釈蒸気はライン４６を通じて第二スパージャー５８において、予備加熱した原料に導入される。示したように、第二スパージャー５８は内部有孔導管５２を有する。この導管は内部導管５２と外部導管５４の間に環状フロースペース５６を形成するように、外部導管により取り巻かれている。水を添加された予備加熱された炭化水素原料は環状フロースペース５６を通じて流れる。それゆえ、希釈蒸気は内部有孔導管５２を通じて流れ、ない部導管５２に示されている開口部（ミシン目）を通じて予備加熱された炭化水素原料に注入される。
【００２８】
他の態様において、第一スパージャー４４及び第二スパージャー５８はスパージャーアッセンブリー３６の一部分であり、示したように、第一スパージャー４４及び第二スパージャー５８は流体連結している。第一スパージャー４４及び第二スパージャー５８はリッキッドフローインターコネクター６０により、流体連結で相互接続的につながっている。水及び希釈蒸気を予備加熱された炭化水素原料と混合するためのスパージャーアッセンブリーは米国特許第７，０９０，７６５に記載されている。
【００２９】
更なる例示的態様において、スパージャーアッセンブリー３６を出ると、炭化水素原料、水、及び希釈蒸気の混合物は管群６６の熱交換管６４を通じて炉１０に戻る。管群６６では、対流部１４の下方部内でこの混合物を更に加熱する。炭化水素原料の更なる加熱は当業者に知られている任意の手段で行うことができる。この更なる加熱は炉１０の対流部１４において原料をこの炉の熱放射部１２からの高温燃料排ガスに非直接的に接触させることにより行われる。このことは、非限定的には、炉１０の対流部１４の管群６６内に位置している複数の熱交換管６４のこの原料を通過させることにより行われる。管群６６で混合物を追加的に加熱した後に、得られた加熱された混合物は対流部１４を出て、更に加熱された高圧蒸気セクション７０を迂回して、管群７４の熱交換管７２を通じて炉１０に戻る。この混合物は対流部１４のより下方部内で更に加熱される。
【００３０】
炭化水素原料、水、及び希釈蒸気の混合物は管８４で、対流部を再び去り、更に加熱された高圧蒸気セクション８８を迂回する。この混合物は管９０の１つ以上に流れ、分離のためにフラッシュ分離ベッセル９２に供給される。１つ以上の管９０は並行に配置されており、外部管群８６により概略的に表現されている複数の管８４に供給される。オーバーヘッド部分はライン９４を通じて除去され、バルブ９８を通って、管群１０２の熱交換管１００を通じて炉１０に戻る。この混合物は対流部１４の下方部内で更に加熱される。再度、ライン９４の複数は提供され、並行に配置されており、外部管群９６により概略的に示されている。
【００３１】
管１０４において、対流部１４を去ると、加熱された炭化水素は炭化水素の熱クラッキングのために炉の熱放射部を通される。熱放射部へ向かう加熱された原料は約４２５℃乃至約７６０℃（約８００ｏＦ乃至約１４００ｏＦ）、又は約５６０乃至約７３０℃（約１０５０乃至約１３５０ｏＦ）の温度を有する。
【００３２】
典型的な分解炉１０において、予備加熱及び気化のための対流部１４における領域は７９０℃までに予備加熱されていることが必要である。オンストリームデコーキングに必要とされる蒸気の添加は配管の限度を超える加熱を避けなければならない。このことは特に直接オイル冷却を行い、従って図１に例示的に示しているように対流部１４において更に加熱される蒸気を有する輸送ライン交換機（ＴＬＥ）のない重質液体原料炉の場合に当てはまる。
【００３３】
炭化水素オペレーションにおいて、例えば、原料は多数の管群２６において予備加熱される。希釈蒸気が添加され、更に多数の管群６６において予備加熱が続けられる。図１に示すように、この方法は高圧沸騰原料水（ＨＰＢＦＷ）及びスチームスーパーヒート管群７０を迂回して、更に管群７４で予備加熱される。この箇所において、各種パスからの部分的に気化された原料が組み合わせられ気体−液体セパレーター９２に供給される。気体−液体セパレーター由来の気体生成物は複数のコントロールバルブ９８の複数を通って、複数の管９４の（図１に記載の態様における９６により示される８つ）に分配され、クラッキングのために熱放射部を通る前に、管群１０２に戻って最終的な予備加熱を行う。
【００３４】
有利なことには、本明細書はオンストリーミングデコーキングを短縮する方法を開示している。流れはプロセスプレヒーティングの区画のみ通し、デコーキングオペレーションにおいて、水（蒸気に加えて）の使用を排除することを可能とする。一方で、交差部のパイピング１０４の温度限度内の温度を維持している。本明細書で開示するように、プロセスプレヒーティングエリアの残りはプロセスプレヒートを維持することができる。例示的な図１の概略図はこの要求に適した炉を示し、不揮発性分画を含む重質液体原料の分解のための設計を示している。
【００３５】
本明細書における１つの態様において、炉１０の稼動でコーキングのための発明的方法が提供される、炉１０は多数の管群２６、６６、７４、及び１０２を含み、これらは炭化水素フィードストック入り口１８、及び熱放射部の交差部１０４の間に連続的に位置し、各管群２６、６６、７４、及び１０２は複数の管２４、６４、８０、及び１００をそれぞれ含む。各管群内でこれらは並行に配置されている。このプロセスは、多数の管群２６、６６、７４、及び１０２の全部ではない管２４、６４、８０、及び１００の複数の一部分への炭化水素原料の流れを停止する工程、蒸気を含むデコーキング原料を複数の管群２６、６６、７４、及び１０２の全部ではない管２４、６４、８０、及び１００の複数の一部分に供給して、約１４５０ｏＦ以下の対流部から熱放射部の交差部における温度を維持しながら、対流コイル、熱放射コイル、前述の対流部の管により供給される冷却システムの構成部分の内部に蓄積したコークを効果的に取り除く工程、及び複数管２６、６６、７４、及び１０２の全部ではない管２４、６４、８０、及び１００の複数の一部分をデコーキング後の炭化水素プロセスオペレーションに戻す工程を含む。
【００３６】
本発明の方法は多数の管群２６、６６、７４、及び１０２の全部ではない管２４、６４、８０、及び１００の複数の一部分への炭化水素原料の流を停止する工程、多数の管群２６、６６、７４、及び１０２の全部ではない管２４、６４、８０、及び１００の複数の一部分へスチームよりなるデコーキング原料を供給して、対流部から熱放射部１０４への交差部における温度を約１４５０ｏＦ以下に維持しつつ、熱放射コイルの内部及びそのような対流部の管により供給される冷却システムの構成部分に蓄積したコークを効果的に取り除く工程、及び多数の管群２６、６６、７４、及び１０２の全部ではない管２４、６４、８０、及び１００の複数の一部分を炭化水素プロセスオペレーションに戻す工程を含む。
【００３７】
「管の複数の一部分」の語は少なくとも１つで管の複数の全部ではない部分を意味する。多数の管群の全部ではない」の語は多数の管群の１つ以上で全部ではない部分を意味する。
【００３８】
実施において、そこへの通常の原料の供給をバルブで切断して、熱放射コイルの内部、供給された冷却成分からコークを取り除くのに充分な量のデコーキング原料を管又は管２０を通過させることにより、炉１０を停止せずに、バルブで多数の管群２６、６６、７４、及び１０２の全部ではない管２４、６４、及び１００の複数の一部分を流れからはずす。デコーキングの後、管又は管２０はデコーキング原料の流れを切り替えて、脱コークされた管を通常のサービスに戻して、通常の流れに戻す。
【００３９】
デコーキングに用いるスチームは通常利用されているものであり、１つ以上のコントロールバルブ１１２を通じで制御することができる。デコーキングスチームはバルブ１１４の複数のいずれかを通り、所望の管のコントロールバルブ９８の複数の下流個所に流れる。１つのコントロールバルブ１１２を用いる場合、このデコーキングスチームをゲートバルブ１１４を用いていずれかの対流部パスに流す。管が本明細書で開示するデコーキングオペレーションを行っている場合、個々のバルブ９８が閉まって、蒸気−液体セパレーターからの蒸気オーバーヘッド生成物が閉鎖され、蒸気−液体セパレーターからのこの蒸気オーバーヘッド生成物は管の複数の残りの管にのみ供給される（図１による定時的なケースにおいて、対流部の管群１０２及び熱放射部の８つの管のうちの７つ）。しかしながら、対流部の管群２６、６６、及び７４の複数の管２４、６６、及び８０の全てが予備加熱サービスに用いられているままである。
【００４０】
例示的な態様の図２を参照していただきたい。エタン及びプロパン等のクラッキングガス原料のための炉２００が本発明に基づいて設計された。炉２００は底部熱放射部２１２、中間対流部２１４、上部排ガス排気セクション２１６を含む。熱放射部２１２において、熱放射バーナー（示さず）が炭化水素原料に放射熱を与えて、原料を熱分解して所望の生成物を与える。このバーナーは高温ガスを生成し、このガスは対流部２１４を通り、上向きに流れ、燃料排ガス排出セクション２１６を通り炉１０から排出される高温ガスを生成する。
【００４１】
図２に例示的に示しているように、炭化水素原料は入り口管２１８に入り、入り口供給バルブ２２０を通過し、予備加熱された対流部２１４の上部に向けて流れる。図示するように、複数の管２１８が並行に配置されており、これらは外部管群２２２として概略的に現されている。図示されないけれども、複数の管２１８のそれぞれには入り口フィードバルブ２２０が付いているか、又は示したように１つのフィードバルブを用いている。図示するように、対流部の管群２２６の対応している複数の熱交換管２２４と管２１８のそれぞれは、流体連結している。
【００４２】
炭化水素原料の予備加熱は当業者により知られている任意の方法で行うことができる。通常、加熱は炉２００の熱放射部２１２から高温原料ガスで、炉２００の上部対流部２１４において、原料を非直接的に接触させることを含む。このことは、非限定的な例としては、炉２００の対流部２１４に位置している熱交換管に原料を通すことにより達成される。管群２２６を出ると、予備加熱された原料は、約９５℃乃至約３１５℃（約２００ｏＦ乃至約６００ｏＦ）の温度又は約１５０℃乃至約２６０℃（約３００ｏＦ乃至約５００ｏＦ）の間の温度を有する。
【００４３】
予備加熱された炭化水素原料が上部対流部２１４を出ると、希釈蒸気がライン２４６を通じて導入され、混合物を形成する。希釈蒸気は、希釈蒸気重量に基づいて少なくとも約２０％（即ち、約２０％乃至約１００％）、又は少なくとも２５％、又は少なくとも３０％の量で添加される。
【００４４】
更に例示的に図２に示されるように、炭化水素原料と希釈蒸気の混合物は第二ＴＬＥ等のトランスファーラインエクスチャンジャー（ＴＥＬ）２９２へ流れ、高温炉排出ガス２５０により加熱される。炭化水素原料及び希釈蒸気の加熱された混合物はライン２９４を通ってこの交換機を去る。冷却された炉排出ガスはライン３０６を通って去る。管２９４の複数は管群２６６の熱交換管２６４の複数に対応している流れを、コントロールバルブ２９８により制御される管の複数のそれぞれに供給する。ここでは、この混合物は対流部２１４の底部において更に加熱される。炭化水素原料の更なる加熱は当業者に知られている方法で行うことができる。この更なる加熱は炉の熱放射部２１２からの高温燃料ガスと、炉２００の対流部２１４において原料を非直接的に接触させることを含む。このことは、非限定的な例では、炉２００の対流部２１４の管群２６６内に位置している複数の熱交換管２６４に原料を通過させることにより行われる。管群２６６内の混合物の追加的な加熱に続いて、得られた加熱混合物は対流部２１４を出て、更に加熱された高圧上部セクション２７０を迂回し、その後管群２７４の熱交換管２７２を通って炉２００に戻る。ここで、この混合物は対流部２１４の更に底部内で加熱される。
【００４５】
炭化水素原料及び希釈蒸気の混合物は再び対流部２１４を去り、下流の更に加熱された高圧蒸気セクション及びそのエクスポート２８８を迂回する。この混合物流れは管群３０２の熱交換管３００を通じて炉２００に戻る。ここにおいて、この混合物は対流部２１４の底部で更に加熱される。
【００４６】
管３０４で対流部２１４を再び出ると、加熱された炭化水素は炭化水素の熱分解のために炉２００の熱放射部２１２に向かう。熱放射部へ向かう加熱された原料は、約４２５℃乃至約７６０℃（約８００ｏＦ乃至約１４００ｏＦ）又は約５６０乃至約７３０℃（約１０５０ｏＦ乃至約１３５０ｏＦ）の間の温度を有する。
【００４７】
重質炭化水素分解操作において、コークは熱放射管の内部表面に蓄積し、管の有効な交差面積を減らす。それ故、高圧を用いて処理能力を維持している。コークは効果的な絶縁体であるので、コークが管壁に形成されると炉の管温度を高くして、分解効率を維持しなければならない。高いオペレーティング温度は、用いるべき温度が限定されている管の寿命を短くし、最終的には対流効率及び生産性も低くする。
【００４８】
有利なことに、稼動中にデコーキング流れがプロセス予備加熱エリアのフラクションのみ通過する、本明細書で開示する方法及び装置は交差部パイピング３０４の温度限定を維持したままで、デコーキングオペレーション中の水の使用を排除することができる。本明細書に記載のように、プロセス予備加熱エリアはプロセス予備加熱作業に維持できる。
【００４９】
図示するように、対流部２１４は管群に配置されている。各管群において、幾つかの管は並行に配置されている（図２の複数管群２２６（４つの管を有する）以外では、８つが示されているが、３個、４個、６個、８個、１０個、１２個、１６個、及び１８個を有する炉も知られている。）各パスは曲がりくねった管からなる。複数管群２２６、２６６、２７４、及び３０２は対流部２１４において全てのプロセス予備加熱管群である。
【００５０】
例示的な図２に示す態様において、デコーキングスチームはコントロールバルブ３１２を通じてコントロールされる。デコーキングスチームはバルブ３１４のいずれかを通って、バルブ２９８の下流個所へ向かう。管がオンストリーミングデコーキングをされているときに、個々のバルブ２９８は閉じており、原料及び希釈蒸気が伝導管群２６６、２７４、及び３０２及び熱放射部２１２の残りの管へ供給される。対流部の管群２２６の全ての管及び第二ＴＬＥ２９２の総面積はプロセス予備加熱サービスに用いられたままである。
【実施例】
【００５１】
この実施例において、図１に例示されるシステムを用いた。デコーキングスチームを提供し、コントロールバルブを通じてコントロールした。デコーキングスチームはバルブ１１４を通過して、バルブ９８の下流個所へ向かう。バルブ９８は熱放射コイル及びそのような管により提供される冷却システムの構成部分を閉鎖している。気体−液体セパレーター９２からの気体オーバーヘッド生成物は対流部の管群１０２及び熱放射部１２のほかの７つの管に提供される。対流部の管群２６、６６、及び７４の全ての管は、プロセス予備加熱サービス用いられたままである。
【００５２】
本明細書に従って操作した時に満足の行くデコーキングが得られるだろう。全ての特許、試験方法、及び従来技術を開示する文献を含む本明細書で引用する他のドキュメントは本発明の発明と矛盾せず、援用が法律で認められている場合に限り、参照により本明細書に援用される。
【００５３】
本発明の例示的な態様を説明したが、本発明の精神及び範囲を逸脱しない範囲の各種変更は当業者に明らかであり、当業者は容易に行うことができると理解されるべきである。即ち、明細書に添付の特許請求の範囲を実施例に限定することは意図しない。本発明の明細書での説明は、本願発明の当業者により均等であると扱われている全ての技術的特徴を含む、本発明に存在する特許性のある全ての技術的特徴を包含するように解釈されるであろう。
【図１】
0005690723.tif 000002
【図２】
0005690723.tif 000003